(57)【要約】【課題】軟質材料である支持部材にタッピンネジを用いて耐磨耗性部材を取り付け、この耐磨耗性部材の摺動面を介して苗載台を左右往復動可能に支持する移植機において、当該耐磨耗性部材を繰り返して着脱すると、軟質材料である支持部材に形成されるタッピンネジのネジ山が潰れてしまうといった不具合を解消する。【解決手段】エプロン１８に凹陥部３１ａを有するスライドピース３１を固着し、且つ苗載台１２下部の裏面側に板状の取付部を備える支持部材２５を横設し、前記支持部材２５の取付部に耐磨耗性部材２８を螺合手段２６，２７で固定すると共に、前記凹陥部３１ａに螺合手段のスライドピース３１側への突出部を収容しながら、前記耐磨耗性部材２８とスライドピース３１とに形成した摺動面Ｓ１，Ｓ２を介して、当該苗載台１２を左右往復動可能に支持した。【選択図】図３
2005312371.tif 000002
【特許請求の範囲】
【請求項１】
エプロン（１８）に凹陥部（３１ａ）を有するスライドピース（３１）を固着し、且つ苗載台（１２）下部の裏面側に板状の取付部を備える支持部材（２５）を横設し、前記支持部材（２５）の取付部に耐磨耗性部材（２８）を螺合手段（２６，２７）で固定すると共に、前記凹陥部（３１ａ）に螺合手段のスライドピース（３１）側への突出部を収容しながら、前記耐磨耗性部材（２８）とスライドピース（３１）とに形成した摺動面（Ｓ１，Ｓ２）を介して、当該苗載台（１２）を左右往復動可能に支持することを特徴とする移植機。
【請求項２】
前記耐磨耗性部材（２８）が、へ字状の断面形状を有する支持部材（２５）に沿う２面の摺動面（Ｓ１，Ｓ２）を設けた曲げプレートであることを特徴とする請求項１記載の移植機。
【発明の詳細な説明】
【技術分野】
【０００１】
本発明は、苗載台を左右往復動可能に支持するエプロンを備える移植機に関する。
【背景技術】
【０００２】
従来、田植機等の移植機においては、苗載台の下部に取り付けた樹脂製のスライドピースによって苗載台を左右往復動可能に支持すると共に、苗載台上に載置したマット苗をエプロンの苗受け部で受け止め、この苗受け部で受け止めたマット苗を植付爪を有するプランタで掻取りながら圃場に移植することができるようになっている。
【０００３】
また、前記エプロンは、機体の軽量化や成形コスト等を考慮してアルミニウムの引抜き成形体を採用しているが、移植作業中に軟質材料であるエプロンに付着する泥水や小石等が十分に排除されないと、エプロンとスライドピースの摺動面が傷付き、それにより苗載台の横送り抵抗が増大して、当該苗載台の横送り機構を構成するスクリューシャフト等が破損する虞があるので、その対策として、タッピンネジを用いて耐磨耗性部材をエプロンに取付けると共に、この耐磨耗性部材とスライドピースに形成した摺動面を介して苗載台を左右往復動可能に支持したものが知られている（例えば、特許文献１参照。）。
【特許文献２】特開２００３−３１９７０４号公報（第３頁、図３−図４）
【発明の開示】
【発明が解決しようとする課題】
【０００４】
しかし、上述したものは、タッピンネジを用いて耐磨耗性部材をエプロンに取り付けるにあたって、両者の位置決めの容易化とタッピンネジの頭部が耐磨耗性部材の摺動面から突出しないように構成すべく、エプロンに形成されている凹陥部に嵌装可能な凸状部を耐磨耗性部材に設け、更にこの凸状部裏側の凹部から螺挿したタッピンネジの頭部が、前記凹部に収容できるようにしなければならず、必然的にコスト高になると共に、当該耐磨耗性部材をメンテナンス等のために繰り返して着脱すると、軟質材料であるエプロンに形成されるタッピンネジのネジ山が潰れてしまい、ひいてはエプロンを交換しなければならなくなるような場合があるといった不具合を有していた。
【課題を解決するための手段】
【０００５】
本発明は、上記課題を解決することを目的として創案したものであって、エプロンに凹陥部を有するスライドピースを固着し、且つ苗載台下部の裏面側に板状の取付部を備える支持部材を横設し、前記支持部材の取付部に耐磨耗性部材を螺合手段で固定すると共に、前記凹陥部に螺合手段のスライドピース側への突出部を収容しながら、前記耐磨耗性部材とスライドピースとに形成した摺動面を介して、当該苗載台を左右往復動可能に支持することを第１の特徴としている。
【０００６】
また、前記耐磨耗性部材が、へ字状の断面形状を有する支持部材に沿う２面の摺動面を設けた曲げプレートであることを第２の特徴としている。
【発明の効果】
【０００７】
請求項１の発明によれば、苗載台下部の裏面側に横設した板状の取付部を備える支持部材に、ボルト及びナット等からなる螺合手段を用いて耐磨耗性部材を固定することができ、当該耐磨耗性部材をメンテナンス等のために繰り返し着脱したとしても、従来の如く軟質材料からなる部材に直接タッピンネジを用いて耐磨耗性部材を取り付ける構成のものと比べると、耐磨耗性部材の支持部材への脱着を繰り返しても支持部材を痛めることがないので実用的な耐久性に優れている。そして、エプロンに固着したスライドピースの凹陥部に螺合手段のスライドピース側への突出部を収容しながら、耐磨耗性部材とスライドピースとに形成した摺動面を介して苗載台を左右往復動可能に支持することによって、前記摺動面に入り込もうとする泥水や小石等をスライドピースの凹陥部から容易に排出することができる。
【０００８】
また、請求項２の発明によれば、前記耐磨耗性部材が、へ字状の断面形状を有する支持部材に沿って２面の摺動面を設けた単純な形状の曲げプレートであることから、当該耐磨耗性部材を安価に形成できると共に、前記２面の摺動面によって確実に苗載台を支持することができるのでスムーズな苗載台の左右往復動が可能になる。そして、へ字状の断面形状を有する前記支持部材と耐磨耗性部材の角部を利用して両者の位置決めを容易に行って耐磨耗性部材を取り付けることができる。
【発明を実施するための最良の形態】
【０００９】
以下、本発明の実施の形態を図面に基づいて説明する。図１〜図３に示すように、移植機の一例である乗用型田植機１は、走行機体２を前輪３と後輪４によって支持すると共に、走行機体２の後方上部に運転席５を載置し、その前方には操作パネル６を装備し、該操作パネル６の上部には運転ハンドル７、その下方には操作部床面を形成するステップ８を設けている。
【００１０】
そして、走行機体２の前側には、図示しないエンジン等を被包するボンネット９を設けている。また、走行機体２の後部には、リンク機構１０を介して植付作業部１１を昇降自在に装着している。この植付作業部１１は、前高後低状の傾斜姿勢の苗載台１２と、該苗載台１２に保持されている苗を植え付ける複数のプランタ１３等を有し、該プランタ１３の下方には圃場面を整地するフロート１４を設けているが、これらの基本構成は何れも従来通りである。
【００１１】
更に詳しく説明すると、リンク機構１０の後端に昇降ホルダ１５を取付けると共に、該昇降ホルダ１５の下部には、走行機体２の幅方向に向けて植付フレーム１６を延設している。そして、前記植付フレーム１６には、植付爪１３ａ，１３ａを備えたプランタ１３を作動させるチェン伝動機構を内装したプランタケース１７を、走行機体２の幅方向に所定間隔で取付けている。
【００１２】
また、植付フレーム１６の上方には、左右往復動する苗載台１２を前高後低状の傾斜姿勢で配設してあり、この苗載台１２に載置されているマット苗をエプロン１８の苗受け部１８ｂで受け止め、当該苗載台１２の横移動に連係して植付爪１３ａ，１３ａを作動させることによって、前記苗受け部１８ｂで受け止めたマット苗を掻取って圃場に植付けることができるようになっている。尚、１９は、プランタケース１７を植付フレーム１６に取付けるための取付けブラケットである。また、図３において、二点鎖線矢印Ａで示したものは、植付爪１３ａの掻取り（静止植付）軌跡である。
【００１３】
そして、上述したプランタケース１７の略中央上部は、傾斜支持面１７ａを有する突起状に形成してあり、この傾斜支持面１７ａには、エプロン１８を走行機体２の幅方向に配設して支持するための詳細は後述するブラケット２０を取付けている。
【００１４】
また、エプロン１８は、アルミニウムの引抜き成形体であって、エプロン１８の苗受け部１８ｂは、その基端部１８ａである断面が略角パイプ状部分から一体的に延設されると共に、前記基端部１８ａの前側には、プランタケース１７の傾斜支持面１７ａと直交するＴ溝１８ｃが形成してあり、このＴ溝１８ｃにボルト２１を嵌挿すると共に圧縮スプリング２２を介して、当該エプロン１８がブラケット２０に常時圧接状態で支持されるようにロックナット２３，２４による取付調整を行っている。
【００１５】
そして、図示しない掻取り量調節レバーを段階的に回動操作し、前記プランタケース１７の傾斜支持面１７ａに沿ってエプロン１８を上下動させることによって、植付爪１３ａによるマット苗の掻取り量の調節が行えるようになっている。
【００１６】
また、苗載台１２下部の裏面側には、側面視でへ字状の断面形状を有するアルミニウムの引抜き成形体である支持部材２５を走行機体２の幅方向に向けて一体的に横設してある。そして、前記支持部材２５に備える取付部、即ち支持部材２５の下側には、ボルト２６及びナット２７からなる螺合手段を用いて、ステンレス等の硬質板材からなる耐磨耗性部材２８を苗載台１２の幅方向に亘って複数枚に分割して取り付けている。尚、耐磨耗性部材２８は、側面視でへ字状の断面形状を有する支持部材２５に沿う２面の摺動面Ｓ１，Ｓ２を設けた単純な形状の曲げプレートであって、極めて安価に形成することができる。
【００１７】
一方、エプロン１８の基端部１８ａの上部には、下方に向けて断面が略凹状の形状を有する複数個の樹脂製スライドピース３１を、前記基端部１８ａに嵌装した状態で苗載台１２の幅方向に所定の間隔を存してボルト３２を介して取付けてある。尚、本実施例では、前記ボルト３２を螺合するエプロン１８の基端部１８ａにヘリサート３３を介装することによって、スライドピース３１を着脱する際の耐久性を高めている。そして、スライドピース３１上側には、上述した耐磨耗性部材２８の２面の摺動面Ｓ１，Ｓ２に相対する同様の摺動面Ｓ１，Ｓ２が形成されており、両者２８，３１の摺動面Ｓ１，Ｓ２によって確実に苗載台１２を支持することができるので、該苗載台１２をスムーズに左右往復動させることができる。更に、へ字状の断面形状を有する前記支持部材２５と耐磨耗性部材２８の角部を利用して両者の位置決めを容易に行って耐磨耗性部材を取り付けることができる。
【００１８】
また、スライドピース３１上側の摺動面Ｓ１の中間には、凹陥部３１ａが設けてあり、この凹陥部３１ａには、スライドピース３１側に突出する前記支持部材２５に耐磨耗性部材２８を取り付けるためのボルト２６の頭部と、エプロン１８の基端部１８ａにスライドピース３１を取り付けるためのボルト３２の頭部が収容されると共に、耐磨耗性部材２８とスライドピース３１の摺動面Ｓ１，Ｓ２間に入り込もうとする泥水や小石等を、当該凹陥部３１ａから容易に排出することができる。
【００１９】
以上説明したように本発明によると、苗載台１２下部の裏面側に横設した板状の取付部を備える支持部材２５に、螺合手段であるボルト２６とナット２７を用いて耐磨耗性部材２８を固定するので、この耐磨耗性部材２８をメンテナンス等のために繰り返し着脱したとしても、従来の如く軟質材料からなるエプロン１８に直接タッピンネジを用いて耐磨耗性部材２８を取り付ける構成のものと比べると、耐磨耗性部材２８の支持部材２５への脱着を繰り返しても支持部材２５を痛めることがないので実用的な耐久性に優れている。
【００２０】
そして、エプロン１８に固着したスライドピース３１の凹陥部３１ａに、前記螺合手段のスライドピース３１側への突出部（ボルト２６の頭部）を収容しながら、耐磨耗性部材２８とスライドピース３１とに形成した摺動面Ｓ１，Ｓ２を介して苗載台１２を左右往復動可能に支持することによって、前記両摺動面Ｓ１，Ｓ２間に入り込もうとする泥水や小石等をスライドピース３１の凹陥部３１ａから容易に排出することができる。
【００２１】
また、耐磨耗性部材２８がへ字状の断面形状を有する支持部材２５に沿う２面の摺動面Ｓ１，Ｓ２を設けた曲げプレートであることから、当該耐磨耗性部材２８を安価に形成できると共に、前記２面の摺動面によって確実に苗載台１２を支持することができるのでスムーズな苗載台１２の左右往復動が可能になる。そして、へ字状の断面形状を有する前記支持部材２５と耐磨耗性部材２８の角部を利用して両者の位置決めを容易に行って耐磨耗性部材を取り付けることができる。
【図面の簡単な説明】
【００２２】
【図１】乗用型田植機の側面図。
【図２】植付作業部の側面図。
【図３】苗載台下部の支持構造を示す側面図。
【符号の説明】
【００２３】
１２    苗載台
１８    エプロン
２５    支持部材
２６    螺合手段（ボルト）
２７    螺合手段（ナット）
２８    耐磨耗性部材
３１    スライドピース
３１ａ  凹陥部
Ｓ１    摺動面
Ｓ２    摺動面
【図１】
2005312371.tif 000003
【図２】
2005312371.tif 000004
【図３】
2005312371.tif 000005